(57)【特許請求の範囲】
【請求項１】
外部から少なくとも炭素元素と水素元素とを分子内に含む原料を取り入れるための改質原料供給口と、
外部から水を取り入れるための改質水供給口と、
外部から燃焼用燃料を取り入れるための燃焼用燃料供給口と外部から燃焼用空気を取り入れるための燃焼用空気供給口と火炎の放出出口に向かって断面積が大きくなる円錐台状の空間となっている燃焼室とを有し前記燃焼用燃料供給口から取り入れた燃焼用燃料と前記燃焼用空気供給口から取り入れた燃焼用空気とを前記燃焼室において燃焼させて燃焼ガスを生成する加熱器と、
前記改質原料供給口から取り入れた原料と前記改質水供給口から取り入れた水とを前記燃焼ガスにより加熱して原料と水蒸気との混合気を生成する予熱蒸発器と、
前記予熱蒸発器から所定の距離を置いて設けられ、改質触媒を有し、前記改質触媒を前記燃焼ガスにより加熱するとともに、前記予熱蒸発器が生成する混合気を前記改質触媒に通過させることにより水素含有ガスを生成する改質器と、
前記予熱蒸発器と前記改質器との間に配設され、前記予熱蒸発器から排出された液体の水をトラップする水トラップ部とを備え、
前記水トラップ部が前記燃焼室の近傍に設けられており、
前記加熱器が鉛直方向に延びる円筒形をなし、
前記予熱蒸発器は前記加熱器の鉛直軸を取り囲むような円筒形をなし、
前記改質器は前記予熱蒸発器の下方において前記加熱器の鉛直軸を取り囲むような環状をなし、
前記水トラップ部が、前記燃焼室と略同一高さにおいて前記燃焼室を取り囲むような環状をなし、
前記燃焼ガスの流路を燃焼ガス流路とするとき、
前記水トラップ部と前記燃焼ガス流路との間および前記改質器と前記燃焼ガス流路との間が１枚の内壁部で隔てられ、
前記燃焼ガス流路のうちの前記水トラップ部に対向する部位が、前記燃焼ガス流路のうちの前記改質器に対向する部位よりも、円錐台状の前記燃焼室に近くなっている、水素生成装置。
【請求項２】
前記加熱部は、前記燃焼用燃料と前記燃焼用空気とをそれぞれ前記燃焼室に噴出して混合した上で燃焼させる拡散バーナを備える、請求項１に記載の水素生成装置。
【請求項３】
外部から少なくとも炭素と水素とを含む原料を取り入れるための改質原料供給口と、
外部から水を取り入れるための改質水供給口と、
外部から燃焼用燃料を取り入れるための燃焼用燃料供給口と外部から燃焼用空気を取り入れるための燃焼用空気供給口と火炎の放出出口に向かって断面積が大きくなる円錐台状の空間となっている燃焼室とを有し前記燃焼用燃料供給口から取り入れた燃焼用燃料と前記燃焼用空気供給口から取り入れた燃焼用空気とを前記燃焼室において燃焼させて燃焼ガスを生成する加熱器と、
前記改質原料供給口から取り入れた原料と前記空気供給口から取り入れた水とを前記燃焼ガスにより加熱して原料と水蒸気との混合気を生成する予熱蒸発器と、
前記予熱蒸発器から所定の距離を置くように設けられ、改質触媒を有し、前記改質触媒を前記燃焼ガスにより加熱するとともに、前記予熱蒸発器が生成する混合気を前記改質触媒に通過させることにより水素含有ガスを生成する改質器と、
前記予熱蒸発器と前記改質器との間に配設され、前記予熱蒸発器から排出された液体の水をトラップする水トラップ部とを備え、
前記水トラップ部が前記燃焼室の近傍に設けられており、
前記加熱器が鉛直方向に延びる円筒形をなし、
前記予熱蒸発器は前記加熱器の鉛直軸を取り囲むような円筒形をなし、
前記改質器は前記予熱蒸発器の下方において前記加熱器の鉛直軸を取り囲むような環状をなし、
前記水トラップ部が、前記燃焼室と略同一高さにおいて前記燃焼室を取り囲むような環状をなし、
前記燃焼ガスの流路を燃焼ガス流路とするとき、
前記水トラップ部と前記燃焼ガス流路との間および前記改質器と前記燃焼ガス流路との間が１枚の内壁部で隔てられ、
前記燃焼ガス流路のうちの前記水トラップ部に対向する部位が、前記燃焼ガス流路のうちの前記改質器に対向する部位よりも、円錐台状の前記燃焼室に近くなっている、水素生成装置の起動方法であって、
少なくとも起動してから前記改質器において改質反応が進行するまでの期間は、前記水トラップ部に液体の水を存在させる、水素生成装置の起動方法。
【請求項４】
前記改質器の温度を検出し、前記温度に基づいて、前記改質部において改質反応が進行するようになったか否かを判定する、請求項３に記載の水素生成装置の起動方法。
【請求項５】
前記燃焼用燃料が前記原料または前記水素含有ガスである、請求項３に記載の水素生成装置の起動方法。
【発明の詳細な説明】
【技術分野】
【０００１】
本発明は、水素含有ガスを生成する改質器と加熱するための加熱部とが一体化された水素生成装置、およびその起動方法に関する。
【背景技術】
【０００２】
従来から、小規模な高効率発電が可能である燃料電池システムは、発電運転の際に発生する熱エネルギーを利用するためのシステム構築が容易であるため、高いエネルギー利用効率を実現することが可能な分散型の発電システムとして開発が進められている。
【０００３】
燃料電池システムでは、発電運転の際、その発電部の本体として配設された燃料電池スタック（以下、単に「燃料電池」という）に、水素を含む水素含有ガスと酸素を含む酸素含有ガスとが各々供給される。すると、燃料電池では、その供給される水素含有ガスに含まれる水素と酸素含有ガスに含まれる酸素とが用いられて、所定の電気化学反応が進行する。この所定の電気化学反応が進行することにより、燃料電池において、水素及び酸素が有する化学的なエネルギーが電気的なエネルギーに直接変換される。これにより、燃料電池システムは、負荷に向けて電力を出力する。
【０００４】
さて、燃料電池システムの発電運転時に必要となる水素含有ガスの供給手段は、通常、インフラストラクチャーとして整備されていない。そのため、従来の燃料電池システムでは、例えば既存の化石原料インフラストラクチャーから得られる都市ガス又はＬＰＧ等の原料ガスと水蒸発器により生成した水蒸気とを用いて６００℃〜７００℃の温度で水蒸気改質反応を進行させて水素含有ガスを生成する改質器が、燃料電池と共に配設されていることが多い。一方、水蒸気改質反応により得られる水素含有ガスには、通常、原料ガスに由来する一酸化炭素及び二酸化炭素が大量に含まれている。そこで、従来の燃料電池システムでは、改質器で生成された水素含有ガスに含まれる一酸化炭素の濃度を低減するために、水素含有ガスの温度を低下させ、２００℃〜３５０℃の温度で水性ガスシフト反応を進行させることにより一酸化炭素の濃度を低減する変成器、及び、１００℃〜１５０℃の温度で選択酸化反応を進行させることにより一酸化炭素の濃度を更に低減する選択酸化器が、燃料電池や改質器と共に配設されていることが多い。ここで、従来の燃料電池システムでは、これらの改質器及び変成器及び選択酸化器により、水素生成装置が構成されている。尚、これらの改質器及び変成器及び選択酸化器の各々には、水蒸気改質反応、水性ガスシフト反応、選択酸化反応の各々を進行させるための各化学反応に適した触媒が各々配設されている。例えば、改質器には、Ｒｕ触媒やＮｉ触媒が配設されている。又、変成器には、Ｃｕ−Ｚｎ触媒や貴金属系触媒が配設されている。又、選択酸化器には、Ｒｕ触媒等が配設されている。
【０００５】
ところで、上記構成を有する水素生成装置では、一般的に、各反応器での化学反応を適切に進行させるために、各反応器の温度を最適な温度に維持する必要がある。又、上記構成を有する水素生成装置では、各反応器の温度を最適な温度に維持する際に必要となる熱エネルギーを有効に利用することが重要な課題になっている。
【０００６】
そこで、改質器、水蒸発器、変成器、及び選択酸化器の各々を、燃焼用燃料と燃焼用空気との混合気を燃焼して燃焼ガスを生成する加熱部の周りに同心円筒状に配設して、装置を小型化し放熱面を少なくする水素生成装置が提案されている（例えば、特許文献１参照）。
【０００７】
また、同一軸方向に各々筒状の水蒸発器と改質器とを並べて配置して、装置を小型化し放熱面を少なくする水素生成装置が提案されている（例えば、特許文献２参照）。
【０００８】
さらに各反応器の温度を最適な温度に維持する際に必要となる熱エネルギーを有効に利用するため、水素生成装置の外側の断熱性を強化して放熱を低減する構成がとられる。
【特許文献１】特開２００２−１８７７０５号公報
【特許文献２】特開２００５−２２５６８４号公報
【発明の開示】
【発明が解決しようとする課題】
【０００９】
しかしながら、従来の構成では、加熱部における窒素酸化物発生の抑制が不十分であるという課題があった。燃焼排ガス中の窒素酸化物は少なければ少ない方が望ましい。エネルギーを有効に利用しつつ、窒素酸化物の発生量を極力少なくできる水素生成装置、およびその起動方法の確立が望まれている。
【００１０】
本発明は上記のような課題を解決するためになされたもので、燃焼排ガス中の窒素酸化物を低減する水素生成装置およびその起動方法を提供することを目的としている。
【課題を解決するための手段】
【００１１】
本発明者は、上記課題を解決すべく鋭意検討した。その結果、以下の点に気づいた。
【００１２】
水素生成装置からの放熱を低減する構成では、装置内部が高温になる。特に、改質器を加熱部の周りに同心円筒状に配設して、装置を小型化し放熱面を少なくする水素生成装置では、熱のこもり易い中心部に加熱部が位置しているので、燃焼室が高温になる傾向がある。窒素酸化物の発生は温度に依存し、高温になればなるほど発生量が増加する。このため、燃焼室が高温になると、燃焼排ガス中の窒素酸化物濃度も増加する。
【００１３】
また、水素生成装置の起動時にはオフガスの利用ができないため、都市ガス又はＬＰＧ等の原料ガスを加熱部で直接に燃焼させる必要がある。炭化水素系のガスを燃焼させる場合には、窒素酸化物の発生はさらに増加する。
【００１４】
以上のように、窒素酸化物の発生は、加熱部における燃焼室の温度により影響を受ける。したがって、窒素酸化物濃度を低減するためには、燃焼室の温度を低下させることが有効である。燃焼室の温度を低下させるためには、外部から供給する改質用の水を水素生成装置の内部で貯溜する水トラップ部を設け、この水トラップ部を燃焼室の近傍に配設すればよい。
【００１５】
すなわち、上記課題を解決すべく、本発明の水素生成装置は、外部から少なくとも炭素元素と水素元素とを分子内に含む原料を取り入れるための改質原料供給口と、外部から水を取り入れるための改質水供給口と、外部から燃焼用燃料を取り入れるための燃焼用燃料供給口と外部から燃焼用空気を取り入れるための燃焼用空気供給口と燃焼室とを有し前記燃焼用燃料供給口から取り入れた燃焼用燃料と前記燃焼用空気供給口から取り入れた燃焼用空気とを前記燃焼室において燃焼させて燃焼ガスを生成する加熱器と、前記改質原料供給口から取り入れた原料と前記改質水供給口から取り入れた水とを前記燃焼ガスにより加熱して原料と水蒸気との混合気を生成する予熱蒸発器と、前記予熱蒸発器から所定の距離を置いて設けられ、改質触媒を有し、前記改質触媒を前記燃焼ガスにより加熱するとともに、前記予熱蒸発器が生成する混合気を前記改質触媒に通過させることにより水素含有ガスを生成する改質器と、前記予熱蒸発器と前記改質器との間に配設され、前記予熱蒸発器から排出された液体の水をトラップする水トラップ部とを備え、前記水トラップ部が前記燃焼室の近傍に設けられている。
【００１６】
かかる構成では、水トラップ部により燃焼室の温度を低下させることで、窒素酸化物濃度を低減することができる。
【００１７】
上記の水素生成装置において、前記加熱器が鉛直方向に延びる円筒形をなし、前記予熱蒸発器は前記加熱器の鉛直軸を取り囲むような円筒形をなし、前記改質器は前記予熱蒸発器の下方において前記加熱器の鉛直軸を取り囲むような環状をなし、前記水トラップ部が、前記燃焼室と略同一高さにおいて前記燃焼室を取り囲むような環状をなしてもよい。
【００１８】
かかる構成では、燃焼室から水トラップ部へと水平方向に効率よく熱を移動させることで、燃焼室の温度を効率よく低下させ、窒素酸化物濃度を低減することができる。
【００１９】
上記の水素生成装置において、前記加熱部から外部に至る燃焼ガスの流路を燃焼ガス流路とするとき、前記水トラップ部と前記燃焼ガス流路との間が１枚の内壁部で隔てられ、前記水トラップ部が、前記内壁部を介して前記燃焼室と対向するように設けられていてもよい。
【００２０】
かかる構成では、内壁部を介して水トラップ部と燃焼室とが熱交換するため、燃焼室の温度を効率よく低下させ、窒素酸化物濃度を低減することができる。
【００２１】
上記の水素生成装置において、前記燃焼ガスの流路を燃焼ガス流路とするとき、前記水トラップ部と前記燃焼ガス流路との間および前記改質器と前記燃焼ガス流路との間が１枚の内壁部で隔てられ、前記燃焼ガス流路のうちの前記水トラップ部に対向する部位が、前記燃焼ガス流路のうちの前記改質器に対向する部位よりも、前記燃焼室に近くなっていてもよい。
【００２２】
かかる構成では、改質部を加熱する前に燃焼排ガスを冷却することで、窒素酸化物の発生を抑制しつつ、改質部を効率よく加熱できる。
【００２３】
上記の水素生成装置において、前記加熱器が鉛直方向に延びる円筒形をなし、前記予熱蒸発器は前記加熱器の鉛直軸を取り囲むような円筒形をなし、前記改質器は前記予熱蒸発器の下方において前記加熱器の鉛直軸を取り囲むような環状をなし、前記水トラップ部が、前記燃焼室と略同一高さにおいて前記燃焼室を取り囲むような環状をなし、前記燃焼ガスの流路を燃焼ガス流路とするとき、前記水トラップ部と前記燃焼ガス流路との間および前記改質器と前記燃焼ガス流路との間が１枚の内壁部で隔てられ、前記水トラップ部が、前記燃焼室と略同一高さにおいて前記燃焼室を取り囲むようにかつ前記内壁部を介して前記燃焼室と対向するように設けられ、前記燃焼ガス流路のうちの前記水トラップ部に対向する部位が、前記燃焼ガス流路のうちの前記改質器に対向する部位よりも、前記燃焼室に近くなっていてもよい。
【００２４】
かかる構成では、極めて効率よく、水トラップ部により燃焼室の温度を低下させ、窒素酸化物濃度を低減することができる。
【００２５】
上記の水素生成装置において、前記加熱部は、前記燃焼用燃料と前記燃焼用空気とをそれぞれ前記燃焼室に噴出して混合した上で燃焼させる拡散バーナを備えてもよい。
【００２６】
かかる構成では、製造コストを低減しながら窒素酸化物の発生も抑制できるという相乗効果が得られる。
【００２７】
また、本発明の水素生成装置の起動方法は、外部から少なくとも炭素と水素とを含む原料を取り入れるための改質原料供給口と、外部から水を取り入れるための改質水供給口と、外部から燃焼用燃料を取り入れるための燃焼用燃料供給口と外部から燃焼用空気を取り入れるための燃焼用空気供給口と燃焼室とを有し前記燃焼用燃料供給口から取り入れた燃焼用燃料と前記燃焼用空気供給口から取り入れた燃焼用空気とを前記燃焼室において燃焼させて燃焼ガスを生成する加熱器と、前記改質原料供給口から取り入れた原料と前記空気供給口から取り入れた水とを前記燃焼ガスにより加熱して原料と水蒸気との混合気を生成する予熱蒸発器と、前記予熱蒸発器から所定の距離を置くように設けられ、改質触媒を有し、前記改質触媒を前記燃焼ガスにより加熱するとともに、前記予熱蒸発器が生成する混合気を前記改質触媒に通過させることにより水素含有ガスを生成する改質器と、前記予熱蒸発器と前記改質器との間に配設され、前記予熱蒸発器から排出された液体の水をトラップする水トラップ部とを備え、前記水トラップ部が前記燃焼室の近傍に設けられている、水素生成装置の起動方法であって、少なくとも起動してから前記改質器において改質反応が進行するまでの期間は、前記水トラップ部に液体の水を存在させる。
【００２８】
かかる構成では、水トラップ部により燃焼室の温度を低下させることで、窒素酸化物濃度を低減することができる。
【００２９】
上記の水素生成装置の起動方法において、前記改質器の温度を検出し、前記温度に基づいて、前記改質部において改質反応が進行するようになったか否かを判定してもよい。
【００３０】
かかる構成では、改質器の温度に基づいて改質反応の進行具合を判定した結果に基づいて、燃焼室で燃焼させるガスを選択することができる。
【００３１】
上記の水素生成装置の起動方法において、前記燃焼用燃料が前記原料または前記水素含有ガスであってもよい。
【００３２】
かかる構成では、燃焼室で燃焼させるガスを適宜選択することで、窒素酸化物濃度を低減することができる。
【発明の効果】
【００３３】
本発明は、上記のような構成を有し、以下のような効果を奏する。すなわち、燃焼排ガス中の窒素酸化物を低減する水素生成装置およびその起動方法を提供することができる。
【発明を実施するための最良の形態】
【００３４】
以下、本発明の実施の形態を、図面を参照しながら説明する。
【００３５】
（第１実施形態）
図１は、本発明の第１実施形態に係る水素生成装置およびその付加的構成の概略構成を模式的に示すブロック図及び断面図である。以下、図１を参照しつつ本発明の第１実施形態に係る水素生成装置の基本的な構成について説明する。
【００３６】
図１に示すように、本実施形態に係る水素生成装置１００は、既存の化石原料インフラストラクチャーから得られる都市ガス又はＬＰＧ等の原料ガス、又は、燃料電池に供給することができない一酸化炭素を既定濃度以上に含む水素含有ガスを燃焼して後述する改質部（改質器）２及び変成部３（変成器）及び選択酸化部４（選択酸化器）を加熱するための鉛直方向に延びる円筒状の加熱部１（加熱器）と、この加熱部１の周りに加熱部１と同心円筒状にかつ一体的に配設された改質部２及び変成部３及び選択酸化部４を備えている。
【００３７】
具体的に説明すると、この水素生成装置１００は、図１に示すように、所定の直径を有しかつその上方の開口部及び下方の開口部が上壁部ａ及び下壁部ｂにより閉鎖された円筒状の外壁部Ａと、この外壁部Ａの上方及び下方に配設された上壁部ａ及び下壁部ｂにその上端及び下端が接続するよう外壁部Ａと同心状に内設された外壁部Ａの直径よりも小さい直径を有する略円筒状の内壁部Ｂとを備えている。
【００３８】
図１に示すように、この水素生成装置１００は、外壁部Ａと内壁部Ｂとの間に、略円筒状の隔壁部Ｃを備えている。
【００３９】
隔壁部Ｃは、外壁部Ａとの接続部から所定の角度で下方に傾斜して内壁部Ｂ近傍の所定の位置まで延出する逆円錐状の第１の隔壁部Ｃ１と、第１の隔壁部Ｃ１の下端から鉛直下方に向けて所定の位置まで延出する円筒状の第２の隔壁部Ｃ２と、第２の隔壁部Ｃ２の下端にその内縁部が接続されたリング状の第３の隔壁部Ｃ３と、第３の隔壁部Ｃ３の外縁部にその上端が接続されかつ鉛直下方に向けて下壁部ｂ近傍の所定の位置まで延出する円筒状の第４の隔壁部Ｃ４とを備えている。
【００４０】
内壁部Ｂにより囲まれる円柱状の領域の上方には、その中心軸と水素生成装置１００の中心軸とが一致しかつその壁部と内壁部Ｂとの間に燃焼ガス流路５を形成するようにして、改質部２の改質触媒２ａが内壁部Ｂを介して加熱されるための円筒状の加熱部１が配設されている。
【００４１】
加熱部１は燃焼バーナー１ａ（後述）を備えている。燃焼バーナー１ａは、供給される空気および燃料ガスを燃焼室１１７で燃焼させることにより、改質部２における改質触媒２ａの温度を水蒸気改質反応の進行に適した温度にまで加熱して保温する。
【００４２】
本実施形態では、水素含有ガスを生成する際における熱効率を向上させるために、加熱部１から排出される燃焼ガスが、改質部２の改質触媒２ａを加熱した後に、燃焼ガス流路５を通過して後述する予熱蒸発部６（予熱蒸発器）をも加熱する構成としている。加熱部１から排出され、改質部２の改質触媒２ａ及び予熱蒸発部６を加熱するために用いられた燃焼ガスは、水素生成装置１００の上部に設けられた排気ガス排出口から排気ガスとして水素生成装置１００の外部に排出される。
【００４３】
図１に示すように、この水素生成装置１００は、予熱蒸発器６の下方に、予熱蒸発器６の下端から所定の距離を置くように、内壁部Ｂにおける下方の所定の部分と第４の隔壁部Ｃ４との間に、円筒状の改質触媒２ａを備えている。この改質触媒２ａは、本実施形態ではＲｕ系の触媒により構成され、都市ガス、ＬＰＧ等の炭化水素系成分、メタノール等のアルコール類、或いはナフサ成分等の、少なくとも炭素元素と水素元素とを分子内に含む原料又は原料ガスと、水蒸気と、を用いる水蒸気改質反応を主に進行させ、これにより、水素を主成分として含みかつ一酸化炭素を副成分として含む水素含有ガスを生成する。ここで、本実施形態に係る改質部２は、改質触媒２ａと、この改質触媒２ａから排出される水素含有ガスの温度を検出して改質触媒２ａの温度を間接的に検出する温度検出部２ｂとを備えている。改質部２は、加熱部１の鉛直軸を取り囲むような環状をなす。
【００４４】
図１に示すように、この水素生成装置１００では、外壁部Ａにおける上方の所定の部分と第２の隔壁部Ｃ２との間に、各々円筒状の変成触媒３ａ及び選択酸化触媒４ａが配設されている。変成触媒３ａは、外壁部Ａにおける所定の部分と第２の隔壁部Ｃ２とにより囲まれる円筒状の領域における改質触媒２ａに近い側の所定の位置（即ち、水素含有ガスの流れの上流側）に配設されている。選択酸化触媒４ａは、その円筒状の領域における改質触媒２ａから遠い側の所定の位置（即ち、水素含有ガスの流れの下流側）に配設されている。変成触媒３ａと選択酸化触媒４ａとは、互いに所定の距離を隔てるようにして、各々配設されている。変成触媒３ａと選択酸化触媒４ａとの間の空間に連通するように、選択酸化用空気供給口１０３が設けられている。選択酸化触媒４ａの上方の空間に連通するように、外壁部Ａに燃料ガス取出口１０５が設けられている。
【００４５】
変成触媒３ａは、本実施形態ではＣｕ−Ｚｎ系の触媒により構成され、改質部２において生成した水素含有ガスに含まれる一酸化炭素の濃度を、水蒸気を用いる水性ガスシフト反応を主に進行させることにより、所定の濃度以下にまで低減する。本実施形態に係る変成部３は、変成触媒３ａと、この変成触媒３ａに導入される水素含有ガスの温度を検出して変成触媒３ａの温度を間接的に検出する温度検出部３ｂと、変成触媒３ａの温度を直接検出する温度検出部３ｃとを備えている。選択酸化触媒４ａは、本実施形態ではＲｕ系の触媒により構成され、変成部３において一酸化炭素の濃度が低減された水素含有ガスに依然として含まれる一酸化炭素の濃度を、後述する選択酸化用空気供給器１２が選択酸化用空気供給口１０３から供給する空気を用いる選択酸化反応を主に進行させることにより、所定の濃度以下にまで更に低減する。選択酸化触媒４ａを通過した水素含有ガスは、燃料ガス取出口１０５から取り出される。本実施形態に係る選択酸化部４は、選択酸化触媒４ａと、選択酸化触媒４ａの温度を直接検出する温度検出部４ｂとを備えている。
【００４６】
次に、本発明の第１実施形態に係る水素生成装置における予熱蒸発部及び熱交換部の構成について説明する。
【００４７】
本実施形態に係る水素生成装置１００では、外壁部Ａの上部及び上壁部ａの端部及び内壁部Ｂの上部及び隔壁部Ｃにおける第１、第２の隔壁部Ｃ１、Ｃ２により包囲される所定の領域において、後述する水供給器９から供給される水を蒸発させるための予熱蒸発部６が構成されている。すなわち、予熱蒸発部６は、加熱部１の鉛直軸を取り囲むような円筒形をなしている。そして、この予熱蒸発部６には、内壁部Ｂと対向する第２の隔壁部Ｃ２における所定の部分との間の円筒状の領域に、蒸発棒６ａが配設されている。蒸発棒６ａは、本実施形態では、隔壁部Ｃにおける第２の隔壁部Ｃ２の上端から下端に向かう鉛直方向において、内壁部Ｂと第２の隔壁部Ｃ２との間の円筒状領域を加熱部１の周りに螺旋状に旋回するように延在している。蒸発棒６ａは、その外周部が内壁部Ｂと第２の隔壁部Ｃ２とに接するように配設されている。上壁部ａには、予熱蒸発部６に連通するように、改質水供給口１０１が設けられている。つまり、本実施形態では、予熱蒸発部６は、水供給器９から改質水供給口１０１を通って供給される水が隔壁部Ｃにおける第１の隔壁部Ｃ１に沿って流れ、その後、蒸発棒６ａに沿って鉛直下方に向けて内壁部Ｂと第２の隔壁部Ｃ２との間を螺旋状に旋回しながら流れ落ちるように構成されている。予熱蒸発部６は、外壁部Ａに予熱蒸発部６に連通する改質原料供給口１０２が設けられていて、後述する原料供給器１０から改質原料供給口１０２を通って供給される原料ガス（改質原料、原料）が隔壁部Ｃにおける第１の隔壁部Ｃ１上の空間に供給され、その後、蒸発棒６ａ上の空間を鉛直下方に向けて内壁部Ｂと第２の隔壁部Ｃ２との間を螺旋状に旋回しながら移動するように構成されている。予熱蒸発部６により、原料供給器１０から供給される原料ガスは、加熱部１が排出する高温状態の燃焼ガスにより所定の温度にまで加熱されると共に、水供給器９から供給される水を蒸発させて得た水蒸気と十分に混合される。これにより、予熱蒸発部６において、原料ガスと水蒸気との混合気が生成される。こうして得られた原料ガスと水蒸気との混合気が、その後、改質部２における改質触媒２ａに供給される。
【００４８】
図１に示すように、本実施形態に係る水素生成装置１００では、隔壁部Ｃにおける第４の隔壁部Ｃ４の一部と、この第４の隔壁部Ｃ４の一部の内側に内壁部Ｂの全周に渡って環状に設けられた凹状の水トラップ部７とにより、熱交換部８が構成されている。換言すれば、隔壁部Ｃにおける第４の隔壁部Ｃ４の内側に原料ガスと水蒸気との混合気が流れる流路が設けられており、その内側に、水トラップ部７が配置される構成が採られている。水トラップ部７は、予熱蒸発部６の蒸発棒６ａに沿って螺旋状に流れ、予熱蒸発部６において蒸発し切れずに排出された液体の水をトラップするように構成されている。
【００４９】
本実施形態では、水素生成装置１００において、加熱部１をその中心部に配置すると共に、その加熱部１の周りの重力方向上側に円筒状の予熱蒸発部６を、その重力方向下側に円筒状の熱交換部８及び改質部２を配置している。改質部２の改質触媒２ａを加熱した後に予熱蒸発部６を加熱するために、加熱部１と予熱蒸発部６との間に、加熱部１から排出される燃焼ガスを通流させるための燃焼ガス流路５を配置している。本実施形態では、熱交換部８を、原料ガスと水蒸気との混合気（改質用混合気）が流れる流路（改質用混合気流路）と変成部３に供給される水素含有ガスが流れる流路（改質後変成前水素含有ガス流路）との境界部に配置し、水トラップ部７における液体の水の量等を調整することにより、水素含有ガスが変成部３に供給される前に、水素含有ガスの温度を、第２の隔壁部Ｃ２を介して適宜制御することが可能である。本実施形態では、改質部２で生成された水素含有ガスに含まれる一酸化炭素の濃度を低減する変成部３及び選択酸化部４を予熱蒸発部６の外側に配置して、変成部３及び選択酸化部４で余剰となった熱エネルギーを予熱蒸発部６へ供給可能とする構成としている。
【００５０】
次に、本発明の第１実施形態に係る水素生成装置における燃焼バーナー１ａについて説明する。図２は、加熱部１が備える燃焼バーナー１ａの鉛直断面図である。図中、破線は火炎を示す。図２に示すように、燃焼バーナー１ａは、複数の燃料噴出孔１１２を有する燃料ディストリビュータ１１３と、複数の空気噴出孔１１４を有する空気噴出部１１５とを有する。
【００５１】
空気噴出部１１５は、上下の両端部が開口した円筒状（上端面が平面をなす、略ドーナツ型の形状）であり、該円筒（ドーナツ）の内部は、以下のような形状で中空となっている。すなわち、空気噴出部１１５の内周壁１１６は円錐台をなし、それにより、該円筒（ドーナツ）の内孔が、下端の開口（火炎の放出出口）に向かって断面積が大きくなる円錐台状の空間となっている。空気噴出部１１５の内周壁１１６で囲まれて形成された空間、すなわち空気噴出部１１５の内孔たる空間が、火炎が形成されて燃焼が行われる燃焼室１１７（火炎形成部）となる。
【００５２】
空気噴出部１１５では、円筒の周壁部（ドーナツ部）が中空に形成されている。すなわち、該周壁部は、外周壁１１８、内周壁１１６、上端壁１１９、及び、下端壁１２０の間に内部空間１２１が形成されており、内部空間１２１が燃焼室１１７を周方向に囲んだ構成となっている。内周壁１１６には、所定の間隔で所定の径を有する円形の空気噴出孔１１４が複数形成されている。内部空間１２１は、空気噴出孔１１４を通じて、前記燃焼室１１７に連通している。空気噴出部１１５は、外周壁１１８に設けられた燃焼用空気供給口１２２を有し、燃焼用空気供給口１２２に、シロッコファン等を備える後述する燃焼用空気供給器１１が接続されている。燃焼用空気供給器１１は、燃焼用の空気を、流量を調整しながら、燃焼用空気供給口１２２を介して内部空間１２１へと供給する。燃焼用空気の供給流量の調整方法としては、前記送風器の動作を制御して調整を行う方法や、あるいは、供給系において、前記送風器の下流側にバルブ等の流量調整部材を配設しこれを制御して調整を行う方法等がある。空気噴出部１１５は、例えば金属等から構成される。
【００５３】
燃焼室１１７の上部には、下端が閉塞された管状の燃料ディストリビュータ１１３が嵌合されている。燃料ディストリビュータ１１３は、周方向に複数の燃料噴出孔１１２が設けられた下端部が、円形断面の燃焼室１１７の中心部分に突出するように配置されている。燃料ディストリビュータ１１３のもう一方の端部は燃焼用燃料供給口１２３をなしている。燃焼用燃料供給口１２３は、後述する流路切り替え弁１３ｂを介して、後述する原料供給器１０または燃料電池のオフガス排出口または水素生成装置１００の燃料ガス取出口１０５に択一的に接続される。かかる構成により、燃料ディストリビュータ１１３には、流路切り替え弁１３ｂを介して燃焼用燃料、すなわち原料供給器１０から供給される原料ガスの一部あるいは水素含有ガス（一酸化炭素を既定濃度以上に含むために燃料電池に供給することができない水素含有ガス、または燃料電池からのオフガス）が供給される。
【００５４】
図２の燃焼バーナー１ａは、図１に示す水素生成装置１００において、火炎が下向きになるように、かつ燃焼室１１７が加熱部１の下端に位置するように設置される。
【００５５】
本実施形態の燃焼バーナー１ａは、いわゆる拡散バーナであり、燃焼用燃料と燃焼用空気とは燃焼室１１７に噴出され、混合され。混合された燃焼用燃料と燃焼用空気とは混合気となる。混合気は燃焼室１１７で燃焼されて燃焼ガスを生成する。
【００５６】
拡散バーナは、燃焼用燃料と燃焼用空気との予混合を行なうバーナに比べて窒素酸化物が発生しやすいが、構造が簡単で製造コストが低いという特徴を有する。本発明では燃焼室の温度を下げることで、拡散バーナを使用した場合でも窒素酸化物の発生を抑制できる。本発明と拡散バーナとを組み合わせることにより、製造コストを低減しながら窒素酸化物の発生も抑制できるという相乗効果が得られる。なお、拡散バーナ以外であっても窒素酸化物の発生を抑制する必要があるから、本発明は拡散バーナを使用する態様に限定されない。
【００５７】
次に、本発明の第１実施形態に係る水素生成装置を駆動するための付加的構成について説明する。なお、以下の付加的構成を含めて一体として水素生成装置として構成してもよい。
【００５８】
図１に示すように、本実施形態に係る燃料電池システムは、発電運転の際に水素生成装置１００を駆動するために、水素生成装置１００の予熱蒸発部６に水蒸気改質反応を進行させる際に必要となる水を供給する水供給器９と、水素生成装置１００の加熱部１及び予熱蒸発部６に水蒸気改質反応を進行させる際に必要となる都市ガス又はＬＰＧ等の原料ガスを供給する原料供給器１０と、水素生成装置１００の加熱部１に燃焼バーナーでの都市ガス等の燃焼のために必要となる燃焼用空気を供給する燃焼用空気供給器１１と、水素生成装置１００の選択酸化部４に選択酸化反応を進行させる際に必要となる選択酸化用空気を供給する選択酸化用空気供給器１２とを各々備えている。
【００５９】
水供給器９は、例えば、水道等の水を常時供給することが可能であるインフラストラクチャー等に接続されている。水供給器９は、必要に応じて異物等を除去した後、水道等から供給される水を、供給量を適切に制御しながら、改質水供給口１０１を通じて、改質反応用の水（改質水）として予熱蒸発部６へと供給する。
【００６０】
原料供給器１０は、本実施形態では、都市ガスのインフラストラクチャーに接続されている。原料供給器１０は、必要に応じて都市ガスに含まれている硫黄等の燃料電池システムにとって有害な成分を除去した後、硫黄等が除去された都市ガスを、供給量を適切に制御しつつ、水素生成装置１００における予熱蒸発部６に改質原料供給口１０２を通じて原料（改質原料）として供給すると共に、加熱部１にも燃焼用燃料として供給する。
【００６１】
燃焼用空気供給器１１は、例えばシロッコファン等を備え、フィルター等により必要に応じて粉塵や異物等を除去した後、適切な供給量で空気（燃焼用空気）を水素生成装置１００における加熱部１に供給する。
【００６２】
選択酸化用空気供給器１２は、例えばダイアフラム式ポンプ等を備え、燃焼用空気供給器１１と同様にしてフィルター等により必要に応じて粉塵や異物等を除去した後、適切な供給量で空気（選択酸化用空気）を水素生成装置１００における選択酸化部４に選択酸化用空気供給口１０３を通じて供給する。
【００６３】
図１に示すように、本実施形態に係る燃料電池システムは、流路切り替え弁１３ａ、１３ｂを備えている。流路切り替え弁１３ａは、例えば三方弁により構成され、水素生成装置１００において生成された水素含有ガスが流れる流路を切り替える。本実施形態では、流路切り替え弁１３ａは、水素生成装置１００で生成された水素含有ガスの供給先を、燃料電池と、加熱部１との間で切り替える。水素含有ガスの供給先が燃料電池である場合には、燃料電池からのオフガス（水素含有ガス）が加熱部１へと供給される。流路切り替え弁１３ｂは、流路切り替え弁１３ａと同様にして例えば三方弁により構成され、水素生成装置１００における加熱部１への燃焼用燃料の供給元を、原料ガスを供給する原料供給器１０と水素含有ガスを供給する水素生成装置１００との間で切り替える。
【００６４】
図１に示すように、本実施形態に係る燃料電池システムは、制御器１４を備えている。制御器１４は、マイコン等の演算装置により構成され、ＣＰＵ等からなる演算部（図１では図示せず）と、内部メモリ等からなる記憶部（図１では図示せず）等とを有している。制御器１４は、燃料電池システムの発電運転等の際、図１に示す温度検出部２ｂ、３ｂ、３ｃ、４ｂ等の出力信号や記憶部に記憶されているシーケンス等に基づき、水供給器９、原料供給器１０、燃焼用空気供給器１１、選択酸化用空気供給器１２、流路切り替え弁１３ａ及び１３ｂ等の燃料電池システムを構成する各構成要素の動作を適宜制御する。
【００６５】
次に、本発明の第１実施形態に係る水素生成装置の基本的な動作について、図１を参照しながら説明する。
【００６６】
本発明に係る燃料電池システムを起動する際には、水供給器９と原料供給器１０とを作動させ、水と原料ガスとを水素生成装置１００の予熱蒸発部６に供給する。本実施形態では、原料ガスとして、脱硫後のメタンを主成分とする都市ガスを使用する。水の供給量については、原料ガス平均組成の炭素原子の約２．５〜３倍量となる酸素分子を含むように、水の供給量を設定するのが好ましい。本実施形態では、メタンを主成分とする都市ガスを原料ガスとして用いる構成とするため、供給する１モルのメタンに対して３モルの水蒸気が存在するために必要な量の水を予熱蒸発部６に供給する。即ち、スチームカーボン比（Ｓ／Ｃ比）が３となるように、水供給器９から予熱蒸発部６に向けて水を供給する。
【００６７】
本実施形態において、原料ガス及び水は、予熱蒸発部６の上部より供給する。これにより、予熱蒸発部６の内部において、加熱部１が排出する高温状態の燃焼ガス及び選択酸化部４と変成部３とからの伝熱により原料ガス及び水が加熱される。さらに熱交換部８において加熱されることより、最終的に、原料ガス及び水は、改質部２の手前の予熱蒸発部６で原料ガスと水蒸気との混合気となり、この混合気が改質部２に供給される。
【００６８】
本実施形態では、水蒸気及び原料ガスからなる混合気は、図１において上方から下方に向かって予熱蒸発部６から改質部２に流入することになる。水供給器９から供給される水は、蒸発に伴う体積増加のため、予熱蒸発部６において少なからず圧力変動を発生させる。圧力変動が大きい場合、予熱蒸発部６に向けて同時に供給する原料ガスの供給量にその圧力変動に起因する変動が発生する。しかし、本実施形態では、水供給器９から水を予熱蒸発部６の上部より供給することで、蒸発に伴う体積増加時においてもその供給する水を重力に従い予熱蒸発部６の内部において下流側に流すことができるため、予熱蒸発部６の内部における圧力変動を防止することを可能としている。
【００６９】
本実施形態では、熱交換器８に設けた水トラップ部７が、予熱蒸発器６の重力方向下方に配置されている。従って、予熱蒸発部６から排出された液体の水は、重力方向下方に移動した後、水トラップ部７にトラップされる。改質部２に充填された改質触媒２ａに液体の水が直接供給されることはない。かかる構成により、改質触媒２ａが局所的に急冷されることで生じる改質反応の阻害や改質触媒２ａの破壊を確実に防止することが可能となる。
【００７０】
本実施形態では、加熱部１の動作は、温度検出部２ｂにより検出される温度を目安にして制御する。加熱部１から排出される高温状態の燃焼ガスは、改質部２における改質触媒２ａを加熱した後、燃焼ガス流路５を通過する際に予熱蒸発部６をも加熱する。本実施形態では、改質部２の直後（下方）に設けられた温度検出部２ｂにより検出される改質触媒２ａから排出された水素含有ガスの温度が約６５０℃となるように、加熱部１が排出する燃焼ガスの温度を制御する。その結果、改質部２の出口では、都市ガスの約８５％が水蒸気改質反応により水素含有ガスとなる。
【００７１】
改質部２から排出される水素含有ガスは、その後、改質部２の下方において進行方向が反転され、熱交換部８に沿って上方に向かう。水素含有ガスは、熱交換部８において予熱蒸発部６側と熱交換を行った後、変成部３における変成触媒３ａに供給される。変成部３では、水素含有ガスに含まれる一酸化炭素の濃度が、水蒸気を用いる水性ガスシフト反応により所定の濃度にまで低減される。本実施形態では、変成部３における温度検出部３ｂにより検出される温度が２５０℃程度となるよう、変成部３を動作させる。これにより、変成部３の出口における水素含有ガスに含まれる一酸化炭素の濃度が約０．５％（ドライガスベース）となる。通常の動作時においては、改質部２から排出される水素含有ガスの保有熱により反応温度を２５０℃程度に維持することができるため、変成部３の変成触媒３ａを加熱部等により加熱する必要はない。
【００７２】
変成部３から排出される水素含有ガスには、選択酸化用空気供給器１２から空気が供給される。選択酸化用空気供給器１２から水素含有ガスに供給する空気の供給量は、水素含有ガスに含まれる酸素量が一酸化炭素の約２倍のモル数となるように設定する。生成させる水素量を基準として供給する空気量を予め設定することにより、選択酸化用空気供給器１２から供給する空気量を制御する。本実施形態では、選択酸化用空気供給器１２からの空気の供給量を制御することにより、選択酸化部４における温度検出部４ｂにより検出される温度が１２５℃となるように、選択酸化部４を動作させる。変成部３と選択酸化部４との間の空間、或いは選択酸化部４の外壁面に選択酸化冷却器としての空冷ファンを設け、これにより、選択酸化部４の動作温度を精度良く制御する構成としてもよい。本実施形態では、改質部２を予熱蒸発部６の下方（重力方向下側）に設けることにより、予熱蒸発部６から原料ガス及び水蒸気の混合気を改質部２にスムーズに供給できる構成としている。
【００７３】
以上のように、本発明の実施の形態に係る水素生成装置１００は、通常運転時、従来の一般的な水素生成装置の動作と同様に動作する。上記一連の運転動作により、水素生成装置１００は、一酸化炭素の濃度が約２０ｐｐｍ以下となるように水素含有ガスを生成する。
【００７４】
次に、本発明の第１実施形態に係る水素生成装置の特徴的な構成と動作について、図１を参照しながら詳細に説明する。
【００７５】
本実施形態の特徴的な構成は、図１および図２に示すように、燃焼バーナー１ａの燃焼室１１７が水トラップ部７の近傍に設けられている（水トラップ部７が燃焼バーナー１ａの燃焼室１１７の近傍に設けられている）点である。水トラップ部７では、供給される水がトラップされ液体の水として存在する確率が高い。液体の水は、沸点以上の温度にはならないため、水トラップ部７が設けられる近傍の内壁Ｂは比較的低温に維持されやすい。燃焼室１１７を水トラップ部７の近傍に設けることにより、燃焼室１１７で形成される火炎から水トラップ部７が設けられる近傍の内壁Ｂへの熱の移動量は増加する。つまり、燃焼室１１７の近傍の燃焼排ガスから、水の蒸発により低温になる水トラップ部７への伝熱を促進できるので、燃焼室１１７の内部空間の温度、および燃焼室１１７の近傍における燃焼排ガス温度を低下させることができる。その結果、燃焼室１１７を水トラップ部７の近傍に設けられない従来の構成と比較して、燃焼排ガス中の窒素酸化物量を低下させることができる。燃焼排ガス中の窒素酸化物は、燃焼排ガス中の窒素が酸化されて発生する。窒素酸化物の発生量は燃焼排ガスの温度に依存し、燃焼排ガスの温度が低いほど、その発生量は減少する。一例として、燃焼室１１７の温度が９５０℃程度とすると、水トラップ部７を燃焼室１１７の近傍に設けることで燃焼室１１７の温度を９００℃程度に低下させることで、窒素酸化物の発生量を抑制することができる。水トラップ部７は熱交換部８を介して、変成部３に供給される前に水素含有ガスの温度を調整するという機能も有している。水トラップ部７を適切な位置に配置することで、水素生成装置１００の内部における熱分布を効率よく、適切な状態に維持することができる。
【００７６】
なお、「近傍」とは、水トラップ部７が、窒素酸化物の発生量を抑制できる程度に燃焼室１１７の温度を低減できる程度の近傍を意味する。
【００７７】
「近傍」とは、水トラップ部７が燃焼室１１７と略同一高さにあることであってもよい。略同一高さとは、燃焼室１１７で形成される火炎の少なくとも一部が、水トラップ部７と同一の高さに存在することを意味する。水素生成装置１００では、中心の加熱部１から外側へと、主として水平方向に熱が移動する。燃焼室１１７と水トラップ部７とを略同一高さに設けることで、燃焼室１１７から水トラップ部７へと水平方向に熱が移動し、効率よく燃焼室１１７の温度を効率よく低下させることができる。
【００７８】
「近傍」とは、水トラップ部７が内壁部Ｂを介して燃焼室１１７と対向するように設けられていることであってもよい。かかる構成では内壁部Ｂを介して水トラップ部７と燃焼室１１７とが熱交換するため、燃焼室１１７の温度を効率よく低下させることができる。
【００７９】
「近傍」とは、燃焼ガス流路５のうちの水トラップ部７に対向する部位が、燃焼ガス流路５のうちの改質部２に対向する部位よりも、燃焼室１１７に近くなっていることであってもよい。かかる構成では、燃焼室１１７からの燃焼排ガスが改質部２を加熱する前に水トラップ部７が燃焼排ガスを冷却する。改質部２の目標温度は６５０℃程度である一方で、窒素酸化物が発生する火炎の温度は９５０℃程度である。改質部２を加熱する前に燃焼排ガスを冷却することで、窒素酸化物の発生を抑制しつつ、改質部２を効率よく加熱できる。
【００８０】
「近傍」とは、水トラップ部７が、燃焼室１１７と略同一高さにおいて燃焼室１１７を取り囲むようにかつ内壁部Ｂを介して燃焼室１１７と対向するように設けられ、燃焼ガス流路５のうちの水トラップ部７に対向する部位が、燃焼ガス流路５のうちの改質部２に対向する部位よりも、燃焼室１１７に近くなっていることであってもよい。かかる構成では、水トラップ部７により極めて効率よく燃焼室１１７の温度を低下させることができる。
【００８１】
燃焼バーナー１ａの下端部から内壁Ｂに沿って鉛直下方に向けて円筒状の燃焼筒１ｂを設けてもよい。燃焼筒１ｂを設ける構成により、燃焼室１１７近傍の燃焼排ガスと燃焼筒とが熱交換する。燃焼筒１ｂは、水トラップ部７が設けられる近傍の内壁Ｂに対して、輻射でもその熱を伝熱することができるので、効果的に燃焼排ガスの温度を低下させることができる。この場合、燃焼バーナー１ａの燃焼排ガスは、燃焼筒内部を通って下壁面ｂ付近で折り返して、内壁Ｂと燃焼筒とで形成される燃焼ガス流路を通り、最終的に装置外部へ排気される。
【００８２】
本実施形態の特徴的な動作は、装置の起動時に、少なくとも起動してから改質部２での改質反応が進行する（改質部２で生じる水素含有ガス中の水素濃度が、水素生成装置１００から排出される水素含有ガスを加熱部１で燃焼させた場合に窒素酸化物の発生を十分抑制できる程度に上昇する）までの期間は、水トラップ部７に液体の水を存在させる点である。燃焼排ガス中の窒素酸化物は、燃焼排ガス中の窒素が酸化されて発生する。窒素酸化物の発生量は、燃焼排ガスの温度に依存する一方で、燃焼させる燃料種によっても変化する。例えば、水素ガスを燃料とする場合、火炎中で発生する窒素酸化物が水素ガスにより還元されることが考えられるので、都市ガス又はＬＰＧ等の原料ガスを燃焼させる場合と比較して、窒素酸化物の発生が少なくなる傾向がある。水素製造装置１００を起動させる場合、改質部２での改質反応が進行して水素ガスが発生するまでは、都市ガス又はＬＰＧ等の原料ガスを燃焼させる期間が存在する。この期間の燃焼排ガス中の窒素酸化物量は、上述の理由により多くなる傾向がある。窒素酸化物の発生を少しでも抑制するには、燃焼排ガス温度を低下させること好ましい。そこで、少なくとも起動してから改質部２での改質反応が進行するまでの期間は、水トラップ部７で液体の水を存在させながら装置を運転する。この起動方法により、加熱部１における燃焼室１１７の近傍の燃焼排ガスから、水の蒸発により低温になる水トラップ部７への伝熱を促進できるので、燃焼室１１７の近傍の燃焼排ガス温度を低下させることができ、燃焼排ガス中の窒素酸化物の発生を抑制することができる。改質部２での改質反応が進行するまでの期間に水トラップ部７に液体の水を存在させる手法として、例えば、Ｓ／Ｃ（スチームカーボン比）を増加させる手法、装置起動動作直後に一時的に多量の水を供給し、水トラップ部７に貯める水を多くする手法、予熱蒸発部６の温度を制御して予熱蒸発部６を液体のまま通過する水の量を制御する手法などがとれる。
【００８３】
温度検出部２ｂによって改質部の温度を検出し、検出された改質部の温度に基づいて、改質部において改質反応が進行するようになったか否かを判定してもよい。
【００８４】
なお、水トラップ部７により燃焼室１１７の温度を低減するために、燃焼バーナ１ａが金属で構成され、燃焼バーナ１ａと水トラップ部７とが、熱伝導部材（金属フィンなど）によって物理的に接続されていてもよい。かかる構成では、燃焼バーナ１ａから水トラップ部７へと効率よく熱を運搬でき、燃焼室１１７の温度を効率よく低減することができる。
【産業上の利用可能性】
【００８５】
本発明に係る水素生成装置およびその起動方法は、燃焼排ガス中の窒素酸化物を低減する水素生成装置およびその起動方法として有用である。
【図面の簡単な説明】
【００８６】
【図１】図１は、本発明の第１実施形態に係る水素生成装置およびその付加的構成の概略構成を模式的に示すブロック図及び断面図である。
【図２】図２は、加熱部１が備える燃焼バーナー１ａの鉛直断面図である。
【符号の説明】
【００８７】
１  加熱部
１ａ  燃焼バーナー
１ｂ  燃焼筒
２  改質部
２ａ  改質触媒
２ｂ  温度検出部
３  変成部
３ａ  変成触媒
３ｂ，３ｃ  温度検出部
４  選択酸化部
４ａ  選択酸化触媒
４ｂ  温度検出部
５  燃焼ガス流路
６  予熱蒸発部
６ａ  蒸発棒
７  水トラップ部
８  熱交換部
９  水供給器
１０  原料供給器
１１  燃焼用空気供給器
１２  選択酸化用空気供給器
１３ａ，１３ｂ  流路切り替え弁
１４  制御器
１００  水素生成装置
１０１  改質水供給口
１０２  改質原料供給口
１０３  選択酸化用空気供給口
１０４  間隙
１０５  燃料ガス取出口
１１２  燃料噴出孔
１１３  燃料ディストリビュ−タ
１１４  空気噴出孔
１１５  空気噴出部
１１６  内周壁
１１７  燃焼室
１１８  外周壁
１１９  上端壁
１２０  下端壁
１２１  内部空間
１２２  燃焼用空気供給口
１２３  燃焼用燃料供給口
ａ  上壁部
ｂ  下壁部
Ａ  外壁部
Ｂ  内壁部
Ｃ  隔壁部
Ｃ１  第１の隔壁部
Ｃ２  第２の隔壁部
Ｃ３  第３の隔壁部
Ｃ４  第４の隔壁部
Ｐ１  蒸発部
Ｐ２  熱交換部
【図１】
0005057910.tif 000002
【図２】
0005057910.tif 000003